(57)【要約】【課題】住宅仕様の確定をより迅速に行えるようになる住宅仕様確定支援システムを提供すること。【解決手段】端末装置の出力手段に出力され、顧客別の住宅仕様情報を選択入力させるための住宅仕様情報選択入力画面を構成する部品属性情報選択入力画面１１０には、住宅仕様の打合せを行う担当者側で確定すべき部品属性情報を含む部品属性情報の選択入力が可能な担当者モード画面と、前記担当者側で確定すべき前記部品属性情報を含まない部品属性情報の選択入力が可能な顧客モード画面と、があり、前記サーバには、端末装置へ送信する担当者モード画面の表示用データと顧客モード画面の表示用データとを、前記端末装置からの要求信号に応じて切り換える処理を実行するモード画面切換処理手段を備えた。【選択図】図７
2010250357.tif 000002
【特許請求の範囲】
【請求項１】
住宅仕様の確定を支援するための住宅仕様確定支援システムであって、前記住宅仕様の確定に必要なデータを管理するサーバと、このサーバにネットワークを介して接続された利用者が操作する端末装置と、を含んで構成され、
前記サーバは、顧客別の住宅仕様情報を前記顧客の識別情報と関連付けて記憶する住宅仕様情報記憶手段と、前記顧客別の前記住宅仕様情報を選択入力させるための住宅仕様情報選択入力画面の表示用データを前記端末装置へ送信するとともに、前記住宅仕様情報選択入力画面で選択入力されて前記端末装置から前記ネットワークを介して送信されてくる前記顧客別の前記住宅仕様情報を受信する処理を実行する住宅仕様情報選択入力受付処理手段と、この住宅仕様情報選択入力受付処理手段により受け付けた前記顧客別の前記住宅仕様情報を前記顧客の前記識別情報と関連付けて前記住宅仕様情報記憶手段に記憶させる処理を実行する住宅仕様情報登録処理手段と、を備えており、
前記住宅仕様情報選択入力画面には、前記住宅仕様の打合せを行う担当者側で確定すべき仕様情報を含む住宅仕様情報の選択入力が可能な担当者モード画面と、前記担当者側で確定すべき前記仕様情報を含まない住宅仕様情報の選択入力が可能な顧客モード画面と、があり、
前記サーバは、前記端末装置へ送信する前記担当者モード画面の表示用データと前記顧客モード画面の表示用データとを、前記端末装置からの要求信号に応じて切り換える処理を実行するモード画面切換処理手段を備えていることを特徴とする住宅仕様確定支援システム。
【請求項２】
請求項１に記載の住宅仕様確定支援システムにおいて、
前記住宅仕様情報選択入力画面は、前記住宅の構成部材の一覧を表示するとともにこの一覧から仕様を確定する前記構成部材を選択させるための構成部材表示・選択画面と、この構成部材表示・選択画面で選択された前記構成部材に対して選択可能な部品の一覧を表示するとともにこの一覧から前記部品を選択させるための部品表示・選択画面と、この部品表示・選択画面で選択された前記部品の属性情報を選択入力させるための部品属性情報選択入力画面と、を含んで構成され、これらの画面には、前記担当者モード画面と前記顧客モード画面とがあり、
前記サーバは、前記構成部材に対して選択可能な前記部品情報を前記構成部材の前記識別情報及び前記部品の識別情報と関連付けて記憶する部品情報記憶手段と、前記部品表示・選択画面で選択される前記部品の属性情報を前記部品の識別情報と関連付けて記憶する部品属性情報記憶手段と、を備え、
前記住宅仕様情報選択入力受付処理手段は、前記構成部材表示・選択画面の表示用データを前記端末装置へ送信するとともに、前記構成部材表示・選択画面で選択されて前記端末装置から前記ネットワークを介して送信されてくる前記構成部材の前記識別情報を受信する処理を実行する構成部材選択受付処理手段と、この構成部材選択受付処理手段により受け付けた前記構成部材に対して選択可能な前記部品を、受信された前記構成部材の前記識別情報をキーとして、前記部品情報記憶手段から抽出する処理を実行する部品抽出処理手段と、この部品抽出処理手段により抽出された前記部品を表示・選択させるための前記部品表示・選択画面の表示用データを前記端末装置に送信するとともに、前記部品表示・選択画面で選択されて前記端末装置から前記ネットワークを介して送信されてくる前記部品の識別情報を受信する処理を実行する部品選択受付処理手段と、この部品選択受付処理手段により受け付けた前記部品に対して選択入力可能な属性情報を、受信された前記部品の前記識別情報をキーとして、前記部品属性情報記憶手段から抽出する処理を実行する部品属性情報抽出処理手段と、
この部品属性情報抽出処理手段により抽出された前記部品の属性情報を選択入力させるための前記部品属性情報選択入力画面の表示用データを前記端末装置に送信するとともに、前記部品属性情報選択入力画面で選択入力されて前記端末装置から前記ネットワークを介して送信されてくる前記部品の属性情報を受信する処理を実行する部品属性情報選択入力受付処理手段と、
を備え、
前記住宅仕様情報登録処理手段は、前記部品属性情報選択入力受付処理手段により受け付けた前記部品の前記属性情報を、前記顧客の前記識別情報及び前記部品の前記識別情報と関連付けて前記住宅仕様情報記憶手段に記憶する処理を実行する構成とされていることを特徴とする住宅仕様確定支援システム。
【請求項３】
請求項２に記載の住宅仕様確定支援システムにおいて、
前記住宅仕様情報選択入力画面は、前記構成部材のカテゴリの一覧を表示するとともにこの一覧から仕様を確定する前記構成部材が属する前記カテゴリを選択させるためのカテゴリ表示・選択画面を備えており、
前記サーバは、
前記カテゴリ表示・選択画面に表示する前記カテゴリ情報を、このカテゴリの識別情報及び前記カテゴリに属する前記構成部材の識別情報と関連付けて記憶する構成部材情報記憶手段と、
前記カテゴリ表示・選択画面の表示用データを前記端末装置へ送信するとともに、前記カテゴリ表示・選択画面で選択されて前記端末装置から前記ネットワークを介して送信されてくる前記カテゴリの前記識別情報を受信する処理を実行するカテゴリ選択受付処理手段と、
このカテゴリ選択受付処理手段により受け付けた前記カテゴリに属する前記構成部材を、前記カテゴリの前記識別情報をキーとして、前記構成部材情報記憶手段から抽出する処理を実行する構成部材抽出処理手段を備えており、
前記構成部材表示・選択画面には、前記構成部材抽出処理手段により抽出された前記構成部材の一覧が表示されるものとなっており、
前記サーバは、前記カテゴリ表示・選択画面に表示されている前記カテゴリに対して、このカテゴリに属する前記構成部材に対して選択された前記部品の前記属性情報の選択入力の進捗状況に応じた色分け表示処理を実行するカテゴリ色分け表示処理手段を備えていることを特徴とする住宅仕様確定支援システム。
【請求項４】
請求項３に記載の住宅仕様確定支援システムにおいて、前記カテゴリ色分け表示処理手段は、前記カテゴリに属する前記構成部材の全部に対して前記部品の前記属性情報の選択入力が確定している場合と、前記カテゴリに属する前記構成部材の一部に対して前記部品の前記属性情報の選択入力が確定している場合と、前記カテゴリに属する前記構成部材の全部に対して前記部品の前記属性情報の選択入力が確定していない場合と、に応じた色分け表示処理を、前記カテゴリに対して実行することを特徴とする住宅仕様確定支援システム。
【請求項５】
請求項４に記載の住宅仕様確定支援システムにおいて、前記部品属性情報選択入力画面の前記顧客モード画面において、前記カテゴリに属する前記構成部材の全部に対して前記部品の前記属性情報の選択入力が確定している場合であっても、前記部品属性情報選択入力画面の前記担当者モード画面において、前記担当者側で確定すべき前記属性情報の選択入力が確定していない場合には、前記カテゴリ色分け表示処理手段は、前記カテゴリ表示・選択画面の前記担当者モード画面において、前記カテゴリに属する前記構成部材の一部に対して前記部品の前記属性情報の選択入力が確定している場合に応じた前記色分け表示処理を、前記カテゴリに対して実行することを特徴とする住宅仕様確定支援システム。
【請求項６】
請求項２〜５のいずれかに記載の住宅仕様確定支援システムにおいて、
前記サーバは、
前記部品属性情報選択入力画面において前記属性情報の選択入力が確定した前記部品の一覧を表示し、担当者モード画面と顧客モード画面とがある確定部品一覧表示画面の表示用データを前記端末装置へ送信する処理を実行する確定部品一覧表示画面表示データ送信処理手段と、
前記確定部品一覧表示画面に表示される前記部品のうち、前記部品属性情報選択入力画面の前記顧客モード画面において、前記部品の前記属性情報の選択入力が確定している場合であっても、前記部品属性情報選択入力画面の前記担当者モード画面において、前記担当者側で確定すべき前記属性情報の選択入力が確定していない前記部品に対しては、前記確定部品一覧表示画面の前記担当者モード画面において、前記部品の前記属性情報の選択入力が未確定である旨の表示処理を実行する部品属性情報未確定表示処理手段と、
を備えていることを特徴とする住宅仕様確定支援システム。
【発明の詳細な説明】
【技術分野】
【０００１】
本発明は、住宅仕様の確定を支援するための住宅仕様確定支援システムに係り、例えば、プレハブ住宅の仕様の確定を支援するために利用することができる。
【背景技術】
【０００２】
従来より、コンピュータを利用して住宅仕様の確定を支援するための住宅仕様確定支援システムが提案されている。
【０００３】
下記の特許文献１に示されている住宅仕様確定支援システムとなっているＣＡＤシステムでは、プレハブ住宅の販売店の担当者が、顧客と建築する住宅の仕様について複数回打合せを行い、その都度、担当者が打合せで確定した住宅の仕様情報をシステムを構成するコンピュータのディスプレイに表示される住宅の仕様情報を選択入力させるための住宅仕様情報入力画面に選択入力するものとなっている。そして、ＣＡＤシステムは、この選択入力された仕様情報に基づいて顧客別の住宅の設計図を作成するようになっている。
【先行技術文献】
【特許文献】
【０００４】
【特許文献１】特開２００４−１９９６１３号公報
【発明の概要】
【発明が解決しようとする課題】
【０００５】
ところで、近年における顧客の住宅に対する嗜好の多様化に伴い、住宅仕様も多種多様化しているため、住宅仕様確定支援システムにおいても、顧客に仕様を確定してもらう項目が多岐にわたっている。これにより、住宅仕様を確定するための打合せに時間が掛かっていた。
【０００６】
このため、多種多様化している住宅仕様の確定をより迅速に行える住宅仕様確定支援システムの工夫が求められていた。
【０００７】
本発明の目的は、住宅仕様の確定をより迅速に行えるようになる住宅仕様確定支援システムを提供するところにある。
【課題を解決するための手段】
【０００８】
本発明に係る住宅仕様確定支援システムは、住宅仕様の確定を支援するための住宅仕様確定支援システムであって、前記住宅仕様の確定に必要なデータを管理するサーバと、このサーバにネットワークを介して接続された利用者が操作する端末装置と、を含んで構成され、前記サーバは、顧客別の住宅仕様情報を前記顧客の識別情報と関連付けて記憶する住宅仕様情報記憶手段と、前記顧客別の前記住宅仕様情報を選択入力させるための住宅仕様情報選択入力画面の表示用データを前記端末装置へ送信するとともに、前記住宅仕様情報選択入力画面で選択入力されて前記端末装置から前記ネットワークを介して送信されてくる前記顧客別の前記住宅仕様情報を受信する処理を実行する住宅仕様情報選択入力受付処理手段と、この住宅仕様情報選択入力受付処理手段により受け付けた前記顧客別の前記住宅仕様情報を前記顧客の前記識別情報と関連付けて前記住宅仕様情報記憶手段に記憶させる処理を実行する住宅仕様情報登録処理手段と、を備えており、前記住宅仕様情報選択入力画面には、前記住宅仕様の打合せを行う担当者側で確定すべき仕様情報を含む住宅仕様情報の選択入力が可能な担当者モード画面と、前記担当者側で確定すべき前記仕様情報を含まない住宅仕様情報の選択入力が可能な顧客モード画面と、があり、前記サーバは、前記端末装置へ送信する前記担当者モード画面の表示用データと前記顧客モード画面の表示用データとを、前記端末装置からの要求信号に応じて切り換える処理を実行するモード画面切換処理手段を備えていることを特徴とするものである。
【０００９】
本発明では、顧客別の住宅仕様情報を選択入力させるための住宅仕様情報選択入力画面の表示用データが、サーバから、このサーバとネットワークを介して接続された端末装置に送信され、この端末装置では、受信した住宅仕様情報選択入力画面の表示用データに基づいて住宅仕様情報の選択入力が行われる。
【００１０】
また、本発明では、住宅仕様情報選択入力画面には、住宅仕様の打合せを行う担当者側で確定すべき仕様情報を含む住宅仕様情報の選択入力が可能な担当者モード画面と、担当者側で確定すべき仕様情報を含まない住宅仕様情報の選択入力が可能な顧客モード画面と、があり、サーバは、端末装置へ送信する担当者モード画面の表示用データと顧客モード画面の表示用データとを、端末装置からの要求信号に応じて切り換える処理を実行するモード画面切換処理手段を備えている。
【００１１】
このため、本発明では、担当者が顧客と打合せをしながら住宅仕様情報を確定していく場合には、端末装置の操作で住宅仕様情報選択入力画面を顧客モード画面に切り換えて住宅仕様情報の選択入力を行っていけばよい。これにより、顧客は、担当者側で確定すべき仕様情報については確定作業を行う不要がなくなる。すなわち、顧客は、この顧客側で確定すべき仕様情報の確定作業についてのみ行えばよく、担当者側で確定すべき仕様情報の確定作業については担当者に任せることができる。なお、顧客との打合せが終了した後（打合せが始まる前でもよい）、担当者は、端末装置の操作で住宅仕様情報選択入力画面を担当者モード画面に切り換えて、担当者側で確定すべき住宅仕様情報の選択入力を行っていけばよい。
【００１２】
このように、本発明によると、住宅仕様情報を確定するための打合せの時間の短縮を図ることできる。すなわち、住宅仕様情報を確定するための打合せを迅速に行うことができるようになる。
【００１３】
なお、端末装置の住宅仕様情報選択入力画面で選択入力された住宅仕様情報は、ネットワークを介してサーバに送信され、このサーバの住宅仕様情報選択入力受付処理手段により前記顧客別の前記住宅仕様情報を受信する処理が実行され、この住宅仕様情報選択入力受付処理手段により受け付けた前記顧客別の前記住宅仕様情報は、サーバの住宅仕様情報登録処理手段により、顧客の識別情報と関連付けて住宅仕様情報記憶手段に記憶させる処理が実行される。
【００１４】
なお、本発明において、住宅仕様の打合せを行う担当者側で確定すべき仕様情報とは、例えば、担当者が住宅の設計図の平面図を見れば分かる部材の配置位置（例えば、右側、左側等）等をいう。
【００１５】
本発明において、ネットワークとは、有線ネットワークでもよく、無線ネットワークでもよく、また、これらを併用したものでもよい。
【００１６】
また、本発明において、端末装置は任意なものでよく、この端末装置は、例えば、市販されているデスクトップパソコンでもよく、ノートパソコンでもよく、高解像度の液晶画面を有するＰＤＡでもよく、端末機能しか有さない端末専用装置（移動可能のものでもよく、移動不可能のものでもよい）でもよく、あるいは、これらを併用するものでもよい。端末装置が携帯可能なノートパソコンやＰＤＡ等となっている場合には、担当者は、端末装置を持って顧客の居る場所へ訪問し、その場で顧客と端末装置を使用しながら住宅仕様の打合せを行うことができるようになる。
【００１７】
本発明において、住宅仕様情報選択入力画面における顧客モード画面は、担当者側で確定すべき仕様情報が表示されない画面となっていてもよく、担当者側で確定すべき仕様情報は表示されているが選択入力が不可能となっている画面となっていてもよい。後者の場合には、住宅仕様情報選択入力画面における顧客モード画面と担当者モードの画面は、同じレイアウト又は略同じレイアウトを有するものとなる。
【００１８】
本発明において、担当者とは、例えば、住宅の販売店の営業担当者（専門知識を有する建築士等の有資格者が好ましい）でもよく、設計担当者でもよく、施工担当者等でもよい。また、本発明において、顧客とは、住宅の建築主である施主及びその家族等をいう。
【００１９】
本発明において、住宅仕様情報選択入力画面は、住宅仕様を確定するための情報を選択入力するための画面であれば任意であり、この住宅仕様情報選択入力画面は、１画面で構成されるものでもよく、複数の画面から構成されるものでもよい。
【００２０】
本発明において、住宅仕様情報選択入力画面の構成例として、前記住宅の構成部材の一覧を表示するとともにこの一覧から仕様を確定する前記構成部材を選択させるための構成部材表示・選択画面と、この構成部材表示・選択画面で選択された前記構成部材に対して選択可能な部品の一覧を表示するとともにこの一覧から前記部品を選択させるための部品表示・選択画面と、この部品表示・選択画面で選択された前記部品の属性情報を選択入力させるための部品属性情報選択入力画面と、を含んで構成され、これらの画面には、前記担当者モード画面と前記顧客モード画面とがあるものを挙げることができる。
【００２１】
住宅仕様情報選択入力画面を上述した画面構成例とした場合には、前記サーバは、前記構成部材に対して選択可能な前記部品情報を前記構成部材の前記識別情報及び前記部品の識別情報と関連付けて記憶する部品情報記憶手段と、前記部品表示・選択画面で選択される前記部品の属性情報を前記部品の識別情報と関連付けて記憶する部品属性情報記憶手段と、を備えることが好ましい。
【００２２】
また、住宅仕様情報選択入力画面を上述した画面構成例とした場合には、前記住宅仕様情報選択入力受付処理手段は、前記構成部材表示・選択画面の表示用データを前記端末装置へ送信するとともに、前記構成部材表示・選択画面で選択されて前記端末装置から前記ネットワークを介して送信されてくる前記構成部材の前記識別情報を受信する処理を実行する構成部材選択受付処理手段と、この構成部材選択受付処理手段により受け付けた前記構成部材に対して選択可能な前記部品を、受信された前記構成部材の前記識別情報をキーとして、前記部品情報記憶手段から抽出する処理を実行する部品抽出処理手段と、この部品抽出処理手段により抽出された前記部品を表示・選択させるための前記部品表示・選択画面の表示用データを前記端末装置に送信するとともに、前記部品表示・選択画面で選択されて前記端末装置から前記ネットワークを介して送信されてくる前記部品の識別情報を受信する処理を実行する部品選択受付処理手段と、この部品選択受付処理手段により受け付けた前記部品に対して選択入力可能な属性情報を、受信された前記部品の前記識別情報をキーとして、前記部品属性情報記憶手段から抽出する処理を実行する部品属性情報抽出処理手段と、この部品属性情報抽出処理手段により抽出された前記部品の属性情報を選択入力させるための前記部品属性情報選択入力画面の表示用データを前記端末装置に送信するとともに、前記部品属性情報選択入力画面で選択入力されて前記端末装置から前記ネットワークを介して送信されてくる前記部品の属性情報を受信する処理を実行する部品属性情報選択入力受付処理手段と、を備えることが好ましい。
【００２３】
なお、住宅仕様情報選択入力画面を上述した画面構成例とした場合には、前記住宅仕様情報登録処理手段は、前記部品属性情報選択入力受付処理手段により受け付けた前記部品の前記属性情報を、前記顧客の前記識別情報及び前記部品の前記識別情報と関連付けて前記住宅仕様情報記憶手段に記憶する処理を実行する構成とすることが好ましい。
【００２４】
ここで、サーバの部品情報記憶手段は、前記構成部材に対して選択可能な前記部品情報（例えば、部品名、メーカー名、単価等）を、前記構成部材の前記識別情報及び前記部品の識別情報と関連付けて記憶するものである。また、サーバの部品属性情報記憶手段は、部品表示・選択画面で選択される部品の属性情報（例えば、寸法（幅、高さ、奥行）、材質等）等を、前記部品の識別情報と関連付けて記憶するものである。
【００２５】
また、住宅仕様情報選択入力画面を上述した画面構成例とした場合には、まず、端末装置には、サーバから送信された構成部材表示・選択画面の表示用データが表示され、この端末装置で表示される構成部材表示・選択画面で選択された構成部材の識別情報が、端末装置からネットワークを介してサーバに送信される。そして、この送信された構成部材の識別情報を受信する処理が構成部材選択受付処理手段により実行される。
【００２６】
次に、構成部材選択受付処理手段により受け付けた構成部材に対して選択可能な部品が、受信された構成部材の識別情報をキーとして、部品情報記憶手段から抽出する処理が部品抽出処理手段により実行される。
【００２７】
この後、端末装置には、部品抽出処理手段により抽出された部品を表示・選択させるためのサーバから送信された部品表示・選択画面の表示用データが表示され、この端末装置で表示される部品表示・選択画面で選択された部品の識別情報が、端末装置からネットワークを介してサーバに送信される。そして、この送信された部品の識別情報を受信する処理が部品選択受付処理手段により実行される。
【００２８】
次に、部品選択受付処理手段により受け付けた部品に対して選択入力可能な属性情報を、受信された部品の識別情報をキーとして、部品属性情報記憶手段から抽出する処理が部品属性情報抽出処理手段により実行される。
【００２９】
この後、端末装置には、部品属性情報抽出処理手段により抽出された部品の属性情報を選択入力させるためのサーバから送信された部品属性情報選択入力画面の表示用データが表示され、この前記端末装置で表示されている部品属性情報選択入力画面で選択入力された部品の属性情報を受信する処理が部品属性情報選択入力受付処理手段により実行される。
【００３０】
そして、部品属性情報選択入力受付処理手段により受け付けた部品の属性情報を、顧客の識別情報と関連付けて住宅仕様情報記憶手段に記憶する処理が住宅仕様情報登録処理手段により実行される。
【００３１】
住宅仕様情報選択入力画面を前述した画面構成例とした場合において、住宅仕様情報選択入力画面は、構成部材のカテゴリの一覧を表示するとともにこの一覧から仕様を確定する前記構成部材が属する前記カテゴリを選択させるためのカテゴリ表示・選択画面を備えるようにしてもよい。
【００３２】
このカテゴリ表示・選択画面を備えるようにした場合には、前記サーバは、前記カテゴリ表示・選択画面に表示する前記カテゴリ情報を、このカテゴリの識別情報及び前記カテゴリに属する前記構成部材の識別情報と関連付けて記憶する構成部材情報記憶手段と、前記カテゴリ表示・選択画面の表示用データを前記端末装置へ送信するとともに、前記カテゴリ表示・選択画面で選択されて前記端末装置から前記ネットワークを介して送信されてくる前記カテゴリの前記識別情報を受信する処理を実行するカテゴリ選択受付処理手段と、このカテゴリ選択受付処理手段により受け付けた前記カテゴリに属する前記構成部材を、前記カテゴリの前記識別情報をキーとして、前記構成部材情報記憶手段から抽出する処理を実行する構成部材抽出処理手段を備えることが好ましい。
【００３３】
ここで、サーバの構成部材情報記憶手段は、前記カテゴリ表示・選択画面に表示する前記カテゴリ情報を、このカテゴリの識別情報及び前記カテゴリに属する前記構成部材の識別情報と関連付けて記憶するものである。
【００３４】
また、カテゴリ表示・選択画面を備えるようにした場合には、まず、端末装置には、サーバから送信されたカテゴリ表示・選択画面の表示用データが表示され、この端末装置で表示されるカテゴリ表示・選択画面で選択されたカテゴリの識別情報が、端末装置からネットワークを介してサーバに送信される。そして、この送信されたカテゴリの識別情報を受信する処理がカテゴリ選択受付処理手段により実行される。
【００３５】
次に、カテゴリ選択受付処理手段により受け付けた前記カテゴリに属する前記構成部材を、前記カテゴリの前記識別情報をキーとして、前記構成部材情報記憶手段から抽出する処理が構成部材抽出処理手段により実行される。
【００３６】
これにより、前記構成部材表示・選択画面には、前記構成部材抽出処理手段により抽出された前記構成部材の一覧が表示される。
【００３７】
また、カテゴリ表示・選択画面を備えるようにした場合には、前記サーバは、前記カテゴリ表示・選択画面に表示されている前記カテゴリに対して、このカテゴリに属する前記構成部材に対する選択された前記部品の前記属性情報の選択入力の進捗状況に応じた色分け表示処理を実行するカテゴリ色分け表示処理手段を備えることがより好ましい。
【００３８】
これによると、前記カテゴリ表示・選択画面に表示されている前記カテゴリに属する前記構成部材に対する前記部品の前記属性情報の選択入力がどの程度進んでいるか（確定しているか）を容易に把握することができるようになる。
【００３９】
本発明において、前記カテゴリ色分け表示処理手段により実行される色分け表示処理は、任意なものでよく、例えば、このカテゴリ色分け表示処理手段は、前記カテゴリに属する前記構成部材の全部に対して前記部品の前記属性情報の選択入力が確定している場合（打合せ済（打合せ完了）の状態）と、前記カテゴリに属する前記構成部材の一部に対して前記部品の前記属性情報の選択入力が確定している場合（打合せ中（言い換えると、打合せ着手済）の状態）と、前記カテゴリに属する前記構成部材の全部に対して前記部品の前記属性情報の選択入力が確定していない場合（打合せ未着手）と、に応じた色分け表示処理を実行するようにしてもよい。
【００４０】
なお、カテゴリ色分け表示処理手段により実行される色分け表示処理の配色は任意なものでよく、例えば、上述した３段階の進捗状況に応じた色分け表示処理が実行される場合には、前記カテゴリに属する前記構成部材の全部に対して前記部品の前記属性情報の選択入力が確定している場合には、カテゴリを緑色に着色し、前記カテゴリに属する前記構成部材の一部に対して前記部品の前記属性情報の選択入力が確定している場合には、カテゴリを黄色に着色し、前記カテゴリに属する前記構成部材の全部に対して前記部品の前記属性情報の選択入力が確定していない場合には、何も着色しないあるいは白色に着色するようにしてもよい。
【００４１】
また、カテゴリ色分け表示処理手段により実行される色分け表示処理の配色は、上述したようにカラー表示ではなく、濃淡を付けた白黒の網掛け表示（例えば、緑色の代わりに濃い網掛け表示、黄色の代わりに薄い網掛け表示）としてもよい。
【００４２】
また、カテゴリ色分け表示処理手段により上述した色分け表示処理がされる場合において、前記部品属性情報選択入力画面の前記顧客モード画面において、前記カテゴリに属する前記構成部材の全部に対して前記部品の前記属性情報の選択入力が確定している場合であっても、前記部品属性情報選択入力画面の前記担当者モード画面において、前記担当者側で確定すべき前記属性情報の選択入力が確定していない場合には、前記カテゴリ色分け表示処理手段は、前記カテゴリ表示・選択画面の前記担当者モード画面において、前記カテゴリに属する前記構成部材の一部に対して前記部品の前記属性情報の選択入力が確定している場合に応じた色分け表示処理を、前記カテゴリに対して実行することがより好ましい。
【００４３】
これによると、担当者は、顧客モード画面から担当者モード画面に切り換えたときに、担当者側で確定すべき部品の属性情報の選択入力が確定していないカテゴリが存在することが容易に一目で分かるようになる。
【００４４】
以上の本発明において、前記サーバは、前記部品属性情報選択入力画面において前記属性情報の選択入力が確定した前記部品の一覧を表示し、担当者モード画面と顧客モード画面とがある確定部品一覧表示画面の表示用データを前記端末装置へ送信する処理を実行する確定部品一覧表示画面表示データ送信処理手段を備えるようにした場合には、前記確定部品一覧表示画面に表示される前記部品のうち、前記部品属性情報選択入力画面の前記顧客モード画面において、前記部品の前記属性情報の選択入力が確定している場合であっても、前記部品属性情報選択入力画面の前記担当者モード画面において、前記担当者側で確定すべき前記属性情報の選択入力が確定していない前記部品に対しては、前記確定部品一覧表示画面の前記担当者モード画面において、前記部品の属性情報の選択入力が未確定である旨の表示処理を実行する部品属性情報未確定表示処理手段を備えることが好ましい。
【００４５】
これによると、担当者は、顧客モード画面から担当者モード画面に切り換えたときに、担当者側で確定すべき前記属性情報の選択入力が確定していない部品が存在することが容易に一目で分かるようになる。
【００４６】
ここで、部品属性情報未確定表示処理手段により実行される部品の属性情報の選択入力が未確定である旨の表示処理とは、任意であり、例えば、確定部品一覧表示画面の担当者モード画面において、担当者側で確定すべき属性情報の選択入力が確定していない部品情報に対して着色する処理でもよく、確定部品一覧表示画面の担当者モード画面において、担当者側で確定すべき属性情報の選択入力が確定していない部品が存在する旨のエラーメッセージを表示するものでもよい。
【発明の効果】
【００４７】
本発明によると、住宅仕様の確定をより迅速に行えるようになるという効果を得られる。
【図面の簡単な説明】
【００４８】
【図１】図１は、本発明の一実施形態に係る住宅仕様確定支援システムのシステム構成図である。
【図２】図２は、カテゴリ表示・選択画面を示す図である。
【図３】図３は、図２に示すカテゴリ表示・選択画面の部分拡大図である。
【図４】図４は、構成部材表示・選択画面の拡大図である。
【図５】図５は、構成部材表示・選択画面及び部品表示・選択画面の全体図である。
【図６】図６は、部品表示・選択画面の拡大図である。
【図７】図７は、部品属性情報選択入力画面を示す図である。
【図８】図８は、図４に示す構成部材表示・選択画面において、部品の属性情報の選択入力が確定した状態の構成部材が示されている図である。
【図９】図９は、確定部品一覧表示画面を示す図である。
【発明を実施するための形態】
【００４９】
以下に本発明を実施するための形態を図面に基づいて説明する。図１は、本発明の一実施形態に係る住宅仕様確定支援システムのシステム構成図である。この図１に示すように、本実施形態に係る住宅仕様確定支援システムは、住宅仕様の確定に必要なデータを管理するサーバ１と、このサーバ１にネットワーク２を介して接続された端末装置３と、を含んで構成されている。
【００５０】
サーバ１には、住宅仕様の確定に必要なデータベースを構成するトランザクションデータやマスタデータが備えられている。トランザクションデータは、顧客情報テーブル１０と、住宅仕様情報テーブル１１と、進捗状況情報テーブル１２と、を含んで構成され、マスタデータは、カテゴリ情報マスタ１３と、部材情報マスタ１４と、部品情報マスタ１５と、部品属性情報マスタ１６と、を含んで構成されている。
【００５１】
顧客情報テーブル１０は、顧客の基本情報を記憶するためのテーブルであり、この顧客情報テーブルのデータ項目には、顧客ＩＤ、氏名、建設地、契約日、着工予定日、引渡し予定日、部材発注予定日、部材入荷予定日等があり、顧客ＩＤが顧客の識別情報となっている。
【００５２】
住宅仕様情報テーブル１１は、顧客別の住宅の仕様情報を記憶するためのテーブルであり、この住宅仕様情報テーブル１１のデータ項目には、顧客ＩＤ、カテゴリＩＤ、部材ＩＤ、部品ＩＤ、確定品番（確定した部品の品番）、確定品名（確定した部品の部品名称）、確定単価（確定した部品の単価）、確定数量（確定した部品の発注数量）、属性種別（例えば、部品の幅、高さ、奥行き、材質等）、属性値（確定した部品の属性種別に対する値）、属性画像（確定した部品の属性種別に対する画像）、メーカーＩＤ、メーカー名称、確定保留区分等がある。なお、カテゴリＩＤは住宅の構成部材のカテゴリの識別情報であり、部材ＩＤは構成部材の識別情報であり、部品ＩＤは構成部材の部品の識別情報である。このため、住宅仕様情報テーブル１１は、顧客の住宅を構成する構成部材の部品の仕様情報（属性情報）を記憶するためのテーブルとなっている。なお、「確定保留区分」とは、この住宅仕様情報テーブル１１に登録されている仕様情報が、確定されたものであるか或いは確定が保留されているものであるかどうかを判定するための区分であり、本実施形態では、「確定保留区分」には、１（確定）、２（保留）等がある。
【００５３】
進捗状況情報テーブルは、顧客別の住宅の仕様情報の確定の進捗状況情報を記憶するためのテーブルであり、この進捗状況情報テーブル１２のデータ項目には、顧客ＩＤ、カテゴリＩＤ、進捗状況区分、完了日時等がある。すなわち、進捗状況情報テーブル１２は、顧客別カテゴリ別の構成部材の部品の仕様情報（属性情報）の確定の進捗状況情報を記憶するためのテーブルとなっている。言い換えると、進捗状況情報テーブル１２は、顧客別の住宅の構成部材の部品の仕様情報（属性情報）の打合せの進捗状況情報を、構成部材が属するカテゴリ単位でまとめたものを記憶するためのテーブルとなっている。なお、本実施形態では、「進捗状況区分」には、０（打合せ未着手）、１（打合せ中）、２（打合せ済（顧客側））、３（打合せ済（担当者側））等がある。ここで、「進捗状況区分」の値である３（打合せ済（担当者側））は、カテゴリに属する全部の部材について、顧客側及び担当者側で確定すべき仕様情報が確定していることを意味する。これに対して、２（打合せ済（顧客側））は、カテゴリに属する全部の部材について、顧客側で確定すべき仕様情報は確定しているが、カテゴリに属する部材の中で、担当者側で確定すべき仕様情報がまだ確定していない部材が存在することを意味するものである。
【００５４】
本実施形態では、顧客情報テーブル１０と、住宅仕様情報テーブル１１と、進捗状況情報テーブル１２とで、顧客別の住宅仕様情報を顧客の識別情報（顧客ＩＤ）と関連付けて記憶する住宅仕様情報記憶手段を構成するものとなっている。
【００５５】
カテゴリ情報マスタ１３は、住宅の構成部材のカテゴリ情報を記憶するためのマスタであり、このカテゴリ情報マスタ１３のデータ項目には、上位カテゴリＩＤ、カテゴリＩＤ、カテゴリ名称、表示設定区分、必須・任意設定区分等があり、カテゴリＩＤがカテゴリの識別情報となっている。ここで、「上位カテゴリＩＤ」とは、「カテゴリＩＤ」よりも上位のカテゴリＩＤをいう。また、「表示設定区分」とは、後述する住宅仕様情報選択入力画面を構成する画面において、このカテゴリ情報マスタ１３のカテゴリ名称等の情報を顧客に見せるかどうかを設定するための区分であり、本実施形態では、「表示設定区分」には、０（顧客に見せる）、１（担当者にのみ見せる）等がある（以下同じ）。このため、本実施形態では、「表示設定区分」に１が設定されているカテゴリＩＤに対しては、後述する住宅仕様情報選択入力画面を構成する各画面の顧客モード画面において、カテゴリ名称等の情報は非表示となる。
【００５６】
部材情報マスタ１４は、住宅の構成部材情報を記憶するためのマスタであり、この部材情報マスタ１４のデータ項目には、カテゴリＩＤ、部材ＩＤ、部材名称、表示設定区分、必須・任意設定区分、複数選択区分等があり、部材ＩＤが構成部材の識別情報となっている。なお、「カテゴリＩＤ」には、構成部材が属するカテゴリの識別情報が格納される。ここで、「表示設定区分」とは、カテゴリ情報マスタ１３の「表示設定区分」と同様に、後述する住宅仕様情報選択入力画面を構成する画面において、この部材情報マスタ１４の部材名称等の情報を顧客に見せるかどうかを設定するための区分である。また、「必須・任意設定区分」とは、部材に対して部品の選択入力が必須であるかどうかを設定するための区分であり、本実施形態では、「必須・任意設定区分」には、０（任意）、１（必須）がある。また、「複数選択区分」とは、部材に対して複数の部品を選択入力可能かどうか設定するための区分であり、本実施形態では、「複数選択区分」には、０（複数選択不可）、１（複数選択可）がある。
【００５７】
部品情報マスタ１５は、住宅の構成部材の部品情報を記憶するためのマスタであり、この部品情報マスタ１５のデータ項目には、部材ＩＤ、部品ＩＤ、部品名称、部品画像、部品単価、表示設定区分、メーカーＩＤ、等があり、部品ＩＤが部品の識別情報となっている。なお、「表示設定区分」とは、カテゴリ情報マスタ１３の「表示設定区分」と同様に、後述する住宅仕様情報選択入力画面を構成する画面において、この部品情報マスタ１５の部品名称等の情報を顧客に見せるかどうかを設定するための区分である。
【００５８】
部品属性情報マスタ１６は、部品に対して設定可能な属性情報を記憶するためのマスタであり、この部品属性情報マスタ１６のデータ項目には、部品ＩＤ、部品属性種別、部品属性値、表示設定区分等がある。なお、「表示設定区分」とは、カテゴリ情報マスタ１３の「表示設定区分」と同様に、後述する住宅仕様情報選択入力画面を構成する画面において、この部品属性情報マスタ１６の部品属性種別等の情報を顧客に見せるかどうかを設定するための区分である。
【００５９】
本実施形態では、部材情報マスタ１４は、後述するカテゴリ表示・選択画面４０（図２参照）に表示するカテゴリ情報を、カテゴリの識別情報（カテゴリＩＤ）及びカテゴリに属する構成部材の識別情報（部材ＩＤ）と関連付けて記憶する構成部材情報記憶手段となっている。
【００６０】
また、本実施形態では、部品情報マスタ１５は、構成部材に対して選択可能な部品情報を構成部材の識別情報（部材ＩＤ）及び部品の識別情報（部品ＩＤ）と関連付けて記憶する部品情報記憶手段となっている。
【００６１】
また、本実施形態では、部品属性情報マスタ１６は、後述する部品表示・選択画面８０（図６参照）で選択される部品の属性情報を部品の識別情報（部品ＩＤ）と関連付けて記憶する部品属性情報記憶手段となっている。
【００６２】
なお、本実施形態では、部品情報マスタ１５、部品属性情報マスタ１６の各情報は、本システムの担当者により入力されるのではなく、部品メーカー各社が保有するマスタ情報を取り込むことにより得られるものである。すなわち、部品メーカー各社のシステムのマスタ情報をＣＳＶ形式のテキストファイルで受け取り、このＣＳＶファイルを本システムで取り込めるようにレイアウト変換を実行した後、このレイアウト変換後のＣＳＶファイルを本システムの部品情報マスタ１５、部品属性情報マスタ１６に取り込む処理が実行される。
【００６３】
端末装置３は、キーボード、マウス等の入力手段と、ディスプレイ等の出力手段を備えており、端末装置３は、サーバ１から送信されてくる顧客別の住宅仕様情報を選択入力させるための住宅仕様情報選択入力画面、その他の画面の表示用データを受信し、これらの画面の表示用データは、端末装置３に備えられているＷｅｂブラウザ等のソフトウェアを介して出力手段に出力されるものとなっている。
【００６４】
住宅仕様情報選択入力画面は、住宅の構成部材の一覧を表示するとともにこの一覧から仕様を確定する構成部材を選択させるための後述する構成部材表示・選択画面６０（図４参照）と、この構成部材表示・選択画面６０で選択された構成部材に対して選択可能な部品の一覧を表示するとともにこの一覧から部品を選択させるための後述する部品表示・選択画面８０と、この部品表示・選択画面８０で選択される部品の属性情報を選択入力させるための後述する部品属性情報選択入力画面１１０（図７参照）と、を含んで構成されており、これらの画面には、住宅仕様の打合せを行う担当者側で確定すべき仕様情報を含む住宅仕様情報の選択入力が可能な担当者モード画面と、担当者側で確定すべき仕様情報を含まない住宅仕様情報の選択入力が可能な顧客モード画面と、がある。
【００６５】
また、住宅仕様情報選択入力画面には、構成部材のカテゴリの一覧を表示するとともにこの一覧から仕様を確定する構成部材が属するカテゴリを選択させるための後述するカテゴリ表示・選択画面４０があり、このカテゴリ表示・選択画面４０には、住宅仕様の打合せを行う担当者が選択可能なカテゴリを含むカテゴリの選択が可能な担当者モード画面と、担当者が選択可能なカテゴリを含まないカテゴリの選択が可能な顧客モード画面と、がある。
【００６６】
上述した住宅仕様情報選択入力画面、その他の画面の表示用データは、サーバ１の処理手段２０により生成されるものである。
【００６７】
なお、住宅仕様情報選択入力画面を構成する上述した各画面の詳細な説明は後述する。
【００６８】
図１に示すように、サーバ１は、住宅仕様の確定に必要な処理を実行する処理手段２０を備えており、この処理手段２０は、住宅仕様情報選択入力受付処理手段２１と、住宅仕様情報登録処理手段３１と、確定部品一覧表示画面表示データ送信処理手段３２と、を含んで構成されており、住宅仕様情報選択入力受付処理手段２１は、さらに、カテゴリ選択受付処理手段２２と、構成部材抽出処理手段２３と、構成部材選択受付処理手段２４と、部品抽出処理手段２５と、部品選択受付処理手段２６と、部品属性情報抽出処理手段２７と、部品属性情報選択入力受付処理手段２８と、モード画面切換処理手段２９と、カテゴリ色分け表示処理手段３０と、部品属性情報未確定表示処理手段３３と、を含んで構成されるものとなっている。
【００６９】
なお、サーバ１の処理手段２０は、サーバ１の記憶装置に記憶されたソフトウェアで構成されるものである。
【００７０】
住宅仕様情報選択入力受付処理手段２１は、顧客別の住宅仕様情報を選択入力させるための住宅仕様情報選択入力画面の表示用データを端末装置３へ送信するとともに、住宅仕様情報選択入力画面で選択入力されて端末装置３からネットワーク２を介して送信されてくる顧客別の住宅仕様情報を受信する処理を実行する構成となっている。
【００７１】
住宅仕様情報登録処理手段３１は、後述する部品属性情報選択入力受付処理手段２８により受け付けた部品の属性情報を、顧客の識別情報（顧客ＩＤ）及び部品の識別情報（部品ＩＤ）と関連付けて住宅仕様情報記憶手段を構成する住宅仕様情報テーブル１１に記憶する処理を実行する構成とされている。すなわち、住宅仕様情報登録処理手段３１は、確定した部品の属性情報を、顧客の識別情報及び部品の識別情報と関連付けて住宅仕様情報テーブル１１に記憶する処理を実行する構成とされている。なお、住宅仕様情報登録処理手段３１により、部品が属する構成部材の識別情報（部材ＩＤ）や構成部材が属するカテゴリの識別情報（カテゴリＩＤ）も、住宅仕様情報テーブル１１に記憶される。
【００７２】
確定部品一覧表示画面表示データ送信処理手段３２は、部品属性情報選択入力画面１１０において属性情報の選択入力が確定した部品の一覧を表示し、担当者モード画面と顧客モード画面とがある確定部品一覧表示画面１３０の表示用データを端末装置３へ送信する処理を実行する構成となっている。なお、端末装置３では、確定部品一覧表示画面表示データ送信処理手段３２により送信された確定部品一覧表示画面１３０の表示用データを受信し、この受信した確定部品一覧表示画面１３０の表示用データが、端末装置３の出力手段に出力される。
【００７３】
カテゴリ選択受付処理手段２２は、カテゴリ表示・選択画面４０の表示用データを端末装置３へ送信するとともに、カテゴリ表示・選択画面４０で選択されて端末装置３から前記ネットワーク２を介して送信されてくるカテゴリの識別情報を受信する処理を実行する構成となっている。なお、カテゴリ表示・選択画面４０の表示用データは、処理手段２０が、カテゴリ情報マスタ１３の全レコードを抽出して作成する。
【００７４】
構成部材抽出処理手段２３は、カテゴリ選択受付処理手段２２により受け付けたカテゴリに属する構成部材を、カテゴリの識別情報（カテゴリＩＤ）をキーとして、構成部材情報記憶手段である部材情報マスタ１４から抽出する処理を実行する構成となっている。すなわち、構成部材抽出処理手段２３は、部材情報マスタ１４のレコードのうち、カテゴリＩＤがカテゴリ選択受付処理手段２２により受け付けたカテゴリＩＤと一致するレコードを抽出する処理を実行する。
【００７５】
構成部材選択受付処理手段２４は、構成部材表示・選択画面６０の表示用データを端末装置３へ送信するとともに、構成部材表示・選択画面６０で選択されて端末装置３からネットワーク２を介して送信されてくる構成部材の識別情報（部材ＩＤ）を受信する処理を実行する構成となっている。
【００７６】
部品抽出処理手段２５は、構成部材選択受付処理手段２４により受け付けた構成部材に対して選択可能な部品を、受信された構成部材の識別情報（部材ＩＤ）をキーとして、部品情報記憶手段である部品情報マスタ１５から抽出する処理を実行する構成となっている。すなわち、部品抽出処理手段２５は、部品情報マスタ１５のレコードのうち、部材ＩＤが構成部材選択受付処理手段２４により受け付けた部材ＩＤと一致するレコードを抽出する処理を実行する。
【００７７】
部品選択受付処理手段２６は、部品抽出処理手段２５により抽出された部品を表示・選択させるための部品表示・選択画面８０の表示用データを端末装置３に送信するとともに、部品表示・選択画面８０で選択されて端末装置３からネットワーク２を介して送信されてくる部品の識別情報（部品ＩＤ）を受信する処理を実行する構成となっている。
【００７８】
部品属性情報抽出処理手段２７は、部品選択受付処理手段２６により受け付けた部品に対して選択入力可能な属性情報を、受信された部品の識別情報をキーとして、部品属性情報記憶手段である部品属性情報マスタ１６から抽出する処理を実行する構成となっている。すなわち、部品属性情報抽出処理手段２７は、部品属性情報マスタ１６のレコードのうち、部品ＩＤが部品選択受付処理手段２６により受け付けた部品ＩＤと一致するレコードを抽出する処理を実行する。
【００７９】
部品属性情報選択入力受付処理手段２８は、部品属性情報抽出処理手段２７により抽出された部品の属性情報を選択入力させるための部品属性情報選択入力画面１１０の表示用データを端末装置３に送信するとともに、部品属性情報選択入力画面１１０で選択入力されて端末装置３からネットワーク２を介して送信されてくる部品の属性情報を受信する処理を実行する構成となっている。
【００８０】
モード画面切換処理手段２９は、端末装置３へ送信する担当者モード画面の表示用データと顧客モード画面の表示用データとを、端末装置３からの要求信号（本実施形態では、画面表示区分（０（顧客モード画面）、１（担当者モード画面）））に応じて切り換える処理を実行する構成となっている。すなわち、モード画面切換処理手段２９は、端末装置３から送信されてきた要求信号である画面表示区分が０の場合は、端末装置３へ送信する画面を顧客モード画面に切り換える処理を実行し、端末装置３から送信されてきた要求信号である画面表示区分が１の場合は、端末装置３へ送信する画面を担当者モード画面に切り換える処理を実行する。なお、端末装置３の出力手段に出力されるデフォルト画面は、顧客モード画面となっている。
【００８１】
カテゴリ色分け表示処理手段３０は、カテゴリ表示・選択画面４０に表示されているカテゴリに対して、このカテゴリに属する構成部材に対して選択された部品の属性情報の選択入力の進捗状況（確定状況）に応じた色分け表示処理を実行する構成となっている。すなわち、カテゴリ色分け表示処理手段３０は、カテゴリに属する構成部材の全部に対して部品の属性情報の選択入力が確定している場合と、カテゴリに属する構成部材の一部に対して部品の属性情報の選択入力が確定している場合と、カテゴリに属する構成部材の全部に対して部品の属性情報の選択入力が確定していない場合と、に応じた色分け表示処理を、カテゴリに対して実行するものとなっている。
【００８２】
また、カテゴリ色分け表示処理手段３０は、顧客モード画面において、カテゴリに属する構成部材の全部に対して部品の属性情報の選択入力が確定している場合であっても、担当者モード画面において、担当者側で確定すべき属性情報の選択入力が確定していない場合には、担当者モード画面において、カテゴリに属する構成部材の一部に対して部品の属性情報の選択入力が確定している場合に応じた色分け表示処理を、カテゴリに対して実行するものとなっている。
【００８３】
部品属性情報未確定表示処理手段３３は、確定部品一覧表示画面１３０に表示される部品のうち、顧客モード画面において、部品の属性情報の選択入力が確定している場合であっても、担当者モード画面において、担当者側で確定すべき属性情報の選択入力が確定していない部品に対しては、担当者モード画面において、部品の属性情報の選択入力が未確定である旨の表示処理を実行する構成となっている。
【００８４】
次に、本実施形態に係る住宅仕様確定支援システムで実行される各処理を図２〜図９に示す画面により説明する。なお、図２〜図９に示す画面は、端末装置３の出力手段に出力されるものであり、これらの画面の表示用データはサーバ１から端末装置３へ送信されるものである。
【００８５】
本実施形態に係る住宅仕様確定支援システムの利用の開始は、端末装置３に表示される図示しないログイン画面から入力された利用者（顧客）のユーザＩＤ及びパスワードがサーバ１に送信され、このサーバ１よるユーザＩＤ及びパスワードの認証処理を経て行われる。なお、利用者のユーザＩＤ及びパスワード等の情報は、システム管理者によってユーザマスタに予め登録されている。
【００８６】
サーバ１によるユーザＩＤ及びパスワードの認証がされると、端末装置３には、担当者との打合せが始まるまで間に、顧客に見せる図示されないインフォメーション画面（待受画面）が表示される。このインフォメーション画面には、例えば、ログインした顧客の住宅工事スケジュール情報（顧客情報テーブル１０の契約日、部材発注予定日、着工予定日、部材入荷予定日、引渡し予定日等）や、システムの利用方法等の情報が表示されるようになっている。
【００８７】
このインフォメーション画面の最上部には、このインフォメーション画面や、構成部材の部品の選択入力画面や、部品の属性情報の選択入力が確定した部品の一覧表示画面のタブが表示されており、これら３つの画面のうち、表示させたい画面のタブをマウスやキーボード等で押下することにより、選択したタブ画面に遷移するようになっている。
【００８８】
図２には、構成部材の部品の選択入力を行うための最初の画面であって、構成部材のカテゴリの一覧を表示するとともにこの一覧から仕様を確定する構成部材が属するカテゴリを選択させるためのカテゴリ表示・選択画面４０（言い換えると、フロー表示・選択画面４０）が表示されている。この画面４０の最上部には、左から、上記インフォメーション画面を表示させるための「インフォメーション」タブ４１、この図２に表示されている画面４０を表示させるための「フロー」タブ４２、属性情報の選択入力が確定した部品の一覧表示画面を表示させるための「選択部品一覧」タブ４３の３個のタブが表示されている。したがって、上述したインフォメーション画面や、属性情報の選択入力が確定した部品の一覧表示画面が表示されているときにも、これらの３個のタブが表示される。
【００８９】
図２に示されているように、カテゴリ表示・選択画面４０は、構成部材のカテゴリの一覧を表示するものとなっている。このカテゴリの一覧の上部には、５個のカテゴリ表示欄４４が横方向に並んで配置されており、最も左側のカテゴリ表示欄４４から順に「外部」、「内部」、「水廻り設備」、「電気、空調等」、「インテリア・エクステリア」のカテゴリ名称が表示されている。また、それぞれのカテゴリ表示欄４４の下には、それぞれのカテゴリ表示欄４４のカテゴリに属する複数のカテゴリ表示欄４５が縦方向に並んで配置されている。すなわち、カテゴリ表示欄４５のカテゴリは、カテゴリ表示欄４４のカテゴリの下位カテゴリとなっており、言い換えると、カテゴリ表示欄４４のカテゴリは、カテゴリ表示欄４５のカテゴリの上位カテゴリとなっている。
【００９０】
図３は、図２のカテゴリ表示・選択画面４０の部分拡大図であり、図２のカテゴリ表示欄４４に表示されているカテゴリ名称が「水廻り設備」となっているカテゴリに属する複数のカテゴリ表示欄４５の拡大図である。
【００９１】
図３に示すように、カテゴリ表示欄４５は、カテゴリ表示欄４４のカテゴリの下位カテゴリのカテゴリ名称を表示するためのカテゴリ名称表示欄４５Ａと、カテゴリ表示欄４４のカテゴリの下位カテゴリに属する構成部材の部品の属性情報の選択入力の進捗状況情報を表示するための進捗状況表示欄４５Ｂとで構成されている。
【００９２】
図３に示すように、縦方向に並んで配置されている複数のカテゴリ表示欄４５のカテゴリ名称表示欄４５Ａには、カテゴリ「水廻り設備」の下位カテゴリのカテゴリ名称である「キッチン」、「キッチンカウンター」、「カップボード」、「バスユニット」、「洗面化粧台」、「トイレ」、「手洗いカウンター」、「トイレ収納」等が表示されている。
【００９３】
なお、上位のカテゴリ表示欄４４に表示されるカテゴリ名称は、カテゴリ情報マスタ１３のレコードのうち、上位カテゴリＩＤがゼロ以外であって、かつ、カテゴリＩＤがゼロである各レコードのカテゴリ名称が表示されるものとなっている。また、下位のカテゴリ表示欄４５のカテゴリ名称表示欄４５Ａに表示されるカテゴリ名称は、カテゴリ情報マスタ１３のレコードのうち、上位カテゴリＩＤがゼロ以外であって、かつ、カテゴリＩＤがゼロ以外である各レコードのカテゴリ名称が表示されるものとなっている。
【００９４】
カテゴリ表示欄４５の進捗状況表示欄４５Ｂに表示される進捗状況情報は、進捗状況情報テーブル１２のデータ項目のうちの進捗状況区分と完了日時とから編集されるものであり、この進捗状況情報テーブル１２のレコードの取得は、顧客ＩＤ及びカテゴリＩＤをキーとして、進捗状況情報テーブル１２から抽出処理を実行するサーバ１の処理手段２０を構成する図示しない進捗状況抽出処理手段により実行される。
【００９５】
それぞれのカテゴリの進捗状況表示欄４５Ｂに表示される進捗状況情報は、取得した進捗状況情報テーブル１２の進捗状況区分及び完了日時と、以下の条件とにより生成される。なお、前述したように、進捗状況区分には、０（打合せ未着手）、１（打合せ中）、２（打合せ済（顧客側））、３（打合せ済（担当者側））があり、「０」は、顧客側で確定すべき仕様が何も確定していない状態を意味し、「１」は、顧客側で確定すべき仕様が一部確定した状態を意味し、「２」は、顧客側で確定すべき仕様がすべて確定した状態を意味し、「３」は、担当者側で確定すべき仕様もすべて確定した状態を意味するものである。
【００９６】
このため、進捗状況区分が０である場合には、進捗状況表示欄４５Ｂには、文字列「未着手」が表示される。また、進捗状況区分が１である場合には、進捗状況表示欄４５Ｂには、進捗状況情報テーブル１２の完了日時（直近の打合せ日時（具体的にはデータ登録・更新日時）が格納されている）と「打合せ未完了」を連結した文字列「XXXX年XX月XX日打合せ未完了」が表示される。また、進捗状況区分が２又は３である場合には、進捗状況表示欄４５Ｂには、進捗状況情報テーブル１２の完了日と「打合せ済」を連結した文字列「XXXX年XX月XX日打合せ済」が表示される。
【００９７】
また、本実施形態では、下位のカテゴリ表示欄４５の背景色は、進捗状況情報テーブル１２の進捗状況区分の値に応じた色分けが行われるようになっている。なお、図２及び図３における背景色の着色は、便宜上、網掛け表示となっている。
【００９８】
すなわち、進捗状況区分が０である場合には、カテゴリ表示欄４５の背景色は白色（言い換えると、デフォルトの画面背景色のまま）であり、進捗状況区分が１である場合には、カテゴリ表示欄４５の背景色は黄色に着色され、進捗状況区分が３である場合には、カテゴリ表示欄４５の背景色は緑色に着色される。なお、図２のカテゴリ表示・選択画面４０右最上部には、上述したカテゴリ表示欄４５の背景色の凡例４６が表示されている。
【００９９】
進捗状況区分が２である場合には、カテゴリ表示欄４５の背景色は、現在表示されているカテゴリ表示・選択画面４０が顧客モード画面となっているか担当者モード画面となっているかによって異なる。
【０１００】
ここで、カテゴリ表示・選択画面４０には、前述したように、担当者モード画面と顧客モード画面とがあり、このカテゴリ表示・選択画面４０におけるモード画面の切り換えは、画面４０の右最下部に配置されている「お客様モード」（顧客モード）ボタン４７あるいは「担当者モード」ボタン４８を押下（マウス操作によるものでもよく、キーボード操作によるものでもよい。以下同じ）することにより行われる。すなわち、「お客様モード」（顧客モード）ボタン４７あるいは「担当者モード」ボタン４８が押下されることにより、端末装置３からモード切換の要求信号（本実施形態では、画面表示区分（０（顧客モード画面）、１（担当者モード画面）））がサーバ１に送信され、サーバ１は、受信した要求信号に応じて端末装置３に送信する顧客モード画面の表示用データと担当者モード画面の表示用データとを切り換える。なお、端末装置３に送信する表示データの切換処理は、サーバ１のモード画面切換処理手段２９により実行される。
【０１０１】
現在表示されているカテゴリ表示・選択画面４０が顧客モード画面となっている場合には、進捗状況情報テーブル１２の進捗状況区分が２（打合せ済（顧客側））であるカテゴリのカテゴリ表示欄４５の背景色は緑色に着色される。しかし、現在表示されているカテゴリ表示・選択画面４０が担当者モード画面となっている場合には、進捗状況情報テーブル１２の進捗状況区分が２（打合せ済（顧客側））となっているカテゴリのカテゴリ表示欄４５の背景色は黄色に着色される。この着色処理は、顧客モード画面においては、カテゴリ表示欄４５のカテゴリに属する構成部材の全部に対して部品の属性情報の選択入力が確定している場合であっても、担当者モード画面においては、担当者側で確定すべき部品の属性情報の選択入力が確定していない構成部材が存在することを担当者に知らしめるための処理である。一方、進捗状況情報テーブル１２の進捗状況区分が３（打合せ済（担当者側））であるカテゴリのカテゴリ表示欄４５の背景色は、前述したように、現在表示されているカテゴリ表示・選択画面４０が顧客モード画面となっているか否かにかかわらず（すなわち、顧客モード画面及び担当者モード画面において）、緑色に着色される。
【０１０２】
なお、進捗状況情報テーブル１２の進捗状況区分に応じたカテゴリ表示欄４５の背景色に付す色は、上述した色に限定されるものではなく、任意である。
【０１０３】
なお、前述したように、カテゴリ情報マスタ１３のデータ項目には表示設定区分があり、この表示設定区分には、０（顧客に見せる）と１（担当者にのみ見せる）とがあり、表示設定区分に１が設定された下位のカテゴリＩＤに対応するカテゴリ表示欄４５は、顧客モード画面では何も表示されず、担当者モード画面に切り換えることにより表示されるようになっている。
【０１０４】
このように、カテゴリ表示・選択画面４０には、担当者側で確定すべきカテゴリの選択が可能な担当者モード画面と、担当者側で確定すべきカテゴリを含まないカテゴリの選択が可能な顧客モード画面と、がある。言い換えると、カテゴリ表示・選択画面４０には、担当者側で確定すべきカテゴリを含まないカテゴリの選択が可能な顧客モード画面と、担当者側で確定すべきカテゴリも含むカテゴリの選択が可能な担当者モード画面と、がある。
【０１０５】
また、前述したように、カテゴリ情報マスタ１３のデータ項目には必須・任意設定区分があり、この必須・任意設定区分には、０（任意項目）と１（必須項目）とがあり、必須・任意設定区分に１が設定された下位のカテゴリＩＤの進捗状況情報テーブル１２の進捗状況区分が０（打合せ未着手）である場合には、カテゴリ表示欄４５の背景色は赤色（デフォルトの画面背景色とは異なる色）に着色されるようにしてもよい。この着色処理は、必須のカテゴリに属する部材の部品の属性情報の選択入力が未着手の状態であることを担当者に知らしめるための処理である。
【０１０６】
なお、上述した色分け処理は、サーバ１の処理手段２０のカテゴリ色分け表示処理手段３０により実行される。すなわち、カテゴリ色分け表示処理手段３０によりカテゴリ表示・選択画面４０の表示用データが色分け処理された後、この色分け処理された表示用データは、カテゴリ選択受付処理手段２２によりサーバ１からネットワーク２を介して送信される。
【０１０７】
図２のカテゴリ表示・選択画面４０において、利用者が、部品の属性情報の選択入力を行う構成部材が属するカテゴリ表示欄４５を押下する（マウス操作によるものでもよく、キーボード操作によるものでもよい。以下同じ。）ことにより、この押下されたカテゴリ表示欄４５に対応するカテゴリの識別情報であるカテゴリＩＤが、端末装置３からネットワーク２を介してサーバ１へ送信され、この送信されたカテゴリＩＤがサーバ１で受信される。
【０１０８】
なお、サーバ１からカテゴリ表示・選択画面４０の表示用データが端末装置３に送信される処理から、上述したように、カテゴリ表示・選択画面４０において選択されたカテゴリのカテゴリＩＤがサーバ１で受信されるまでの処理は、サーバ１の処理手段２０のカテゴリ選択受付処理手段２２により実行される。すなわち、サーバ１の処理手段２０のカテゴリ選択受付処理手段２２により、カテゴリ表示・選択画面４０の表示用データを端末装置３へ送信するとともに、カテゴリ表示・選択画面４０で選択されて端末装置３からネットワーク２を介して送信されてくるカテゴリの識別情報であるカテゴリＩＤを受信する処理が実行される。
【０１０９】
この後、サーバ１では、カテゴリ選択受付処理手段２２により受け付けたカテゴリＩＤに属する構成部材を、カテゴリＩＤをキーとして、構成部材情報記憶手段である部材情報マスタ１４から抽出する処理が、構成部材抽出処理手段２３により実行される。すなわち、部材情報マスタ１４のレコードのうち、カテゴリＩＤがカテゴリ選択受付処理手段２２により受け付けたカテゴリＩＤと一致するレコードが、構成部材抽出処理手段２３により抽出される。
【０１１０】
図４には、構成部材抽出処理手段２３により抽出された構成部材の一覧を表示するとともにこの一覧から部品の属性情報を確定する構成部材を選択させるための構成部材表示・選択画面６０（言い換えると、カテゴリ表示・選択画面４０に表示されている構成部材のカテゴリよりも下位のカテゴリ表示・選択画面６０）の部分拡大図が示されている。この構成部材表示・選択画面６０の表示用データは、サーバ１の処理手段２０の構成部材選択受付処理手段２４により端末装置３へ送信されるものとなっている。なお、この構成部材選択受付処理手段２４は、構成部材表示・選択画面６０で選択されて端末装置３からネットワーク２を介して送信されてくる構成部材の識別情報である部材ＩＤを受信する処理も実行するものである。
【０１１１】
図４の構成部材表示・選択画面６０に表示されている構成部材は、図２及び図３のカテゴリ表示・選択画面４０において、上位カテゴリ「水廻り設備」の下位カテゴリである「キッチン」が選択された場合における構成部材抽出処理手段２３により抽出された構成部材である。
【０１１２】
図４に示すように、「キッチン」の構成部材は複数あり、左側から「シリーズ」、「オプション」、「シンク」等となっており、それぞれの部材に対して選択入力された仕様情報が表示される部材表示欄６３が横方向に並んで配置されている。
【０１１３】
なお、構成部材表示・選択画面６０の左最上部には、カテゴリ表示・選択画面４０で選択された上位カテゴリのカテゴリ名称６１と、この上位カテゴリの下位カテゴリのカテゴリ名称６２とからなるパンくずリストが表示されている。
【０１１４】
それぞれの部材表示欄６３の左上部には、部材名称欄６４が配置されており、この部材名称欄６４には、部材情報マスタ１４の部材名称が表示される。また、それぞれの部材表示欄６３の右上部には、必須・任意表示欄６５と、確定・未確定表示欄６６と、複数選択表示欄６７が配置されている。
【０１１５】
必須・任意表示欄６５は、部品の選択、あるいは、部品の属性情報の選択入力が必須であるか否かを表示するものであり、前述したカテゴリ情報マスタ１３の必須・任意設定区分と同様に、部材情報マスタ１４の必須・任意設定区分が１（必須項目）となっている場合にのみ、必須・任意表示欄６５に「必」が表示される。
【０１１６】
また、確定・未確定表示欄６６は、部品の属性情報の選択入力が確定しているか否かを表示するものであり、サーバ１の図示しない部材進捗状況情報テーブルの進捗状況区分が２（打合せ済（顧客側））又は３（打合せ済（担当者側））の場合には、確定・未確定表示欄６６には「確」が表示され、部材進捗状況情報テーブルの進捗状況区分が上記２、３以外の場合には、確定・未確定表示欄６６には「未」が表示される。
【０１１７】
また、複数選択表示欄６７は、複数の部品の選択が可能であるか否かを表示するものであり、部材情報マスタ１４の複数選択区分が１（複数選択可）となっている場合にのみ、複数選択表示欄６７に「複」が表示される。
【０１１８】
図４では、表示されている部材（「シリーズ」、「オプション」、「シンク」等）の全部について、部品の属性情報の選択入力が行われていない状態となっており、このため、それぞれの部材表示欄６３には、「部品を選択する」の文字列が表示されている。なお、部品の属性情報の選択入力が必須の部材であっても、「部品を選択しない」ボタン７５が表示されている部材については、この「部品を選択しない」ボタン７５を押下することにより、部品の属性情報の選択入力を行わずに、部品の属性情報の選択入力が完了（確定）したものとすることができるようになっている（図４の「シンク」の部材表示欄６３を参照）。
【０１１９】
なお、構成部材表示・選択画面６０にも、顧客モード画面と担当者モード画面とがあり、部材情報マスタ１４のデータ項目には、カテゴリ情報マスタ１３と同様に、表示設定区分（０（顧客に見せる）と１（担当者にのみ見せる））がある。このため、担当者側で部品の属性情報の選択入力を行うべき部材に対しては、部材情報マスタ１４の表示設定区分に１を設定することにより、構成部材表示・選択画面６０の顧客モード画面においては、表示設定区分に１を設定した部材の部材表示欄６３を表示させないようにすることが可能となる。
【０１２０】
なお、顧客モード画面と担当者モード画面の切換は、後述する図５及び図６の画面右最下部に配置されている「お客様モード」ボタン８６あるいは「担当者モード」ボタン８７を押下することにより行われる。
【０１２１】
この図４に示す構成部材表示・選択画面６０において、部品の選択を行う部材の部材表示欄６３（正確には「部品を選択する」が表示されている領域）を押下すると、図５に示すように、構成部材表示・選択画面６０の下には、構成部材表示・選択画面６０で選択された構成部材に対して選択可能な部品の一覧を表示するとともにこの一覧から部品を選択させるための部品表示・選択画面８０が表示される。
【０１２２】
図６には、この部品表示・選択画面８０の部分拡大図が表示されている。この図６に示されているように、部品表示・選択画面８０には、構成部材表示・選択画面６０で選択された構成部材に対して選択可能な部品の一覧がカード形式で表示されるものである。横方向に複数個並んで表示されているそれぞれの部品情報カード８１には、部品情報マスタ１５から取得された部品名称８１Ａ、部品単価８１Ｂ、部品画像８１Ｃ、製造メーカー名８１Ｄ（部品情報マスタ１５のメーカーＩＤを参照キーとして図示しないメーカーマスタから取得）等が表示される。
【０１２３】
なお、サーバ１の処理手段２０の部品抽出処理手段２５により、構成部材選択受付処理手段２４により受け付けた構成部材に対して選択可能な部品を、受信された構成部材の識別情報である部材ＩＤをキーとして、部品情報マスタ１５から抽出する処理が実行され、この部品抽出処理手段２５により抽出された部品が部品表示・選択画面８０に表示されるようになっている。
【０１２４】
なお、部品表示・選択画面８０の表示用データは、サーバ１の処理手段２０の部品選択受付処理手段２６により端末装置３へ送信されるものとなっている。なお、この部品選択受付処理手段２６は、部品表示・選択画面８０で選択されて端末装置３からネットワーク２を介して送信されてくる部品の識別情報である部品ＩＤを受信する処理も実行するものである。
【０１２５】
部品表示・選択画面８０の下部には、前ボタン８２Ａと後ボタン８２Ｂとからなるカード前後移動ボタン８２が配置されており、前ボタン８２Ａが押下されると、現在表示されている部品情報カード８１群よりも画面手前側に存在する部品情報カード８１群が表示され、後ボタン８２Ｂが押下されると、現在表示されている部品情報カード８１群よりも画面奥側に存在する部品情報カード８１群が表示される。
【０１２６】
また、図６に示されているように、部品表示・選択画面８０の左最下部には、「絞込み画面を開く」ボタン８３が配置されており、この「絞込み画面を開く」ボタン８３が押下されることにより、図示しない絞込検索条件選択入力画面が表示される。そして、この絞込検索条件選択入力画面において、部品の属性情報（例えば、位置（左／右／中央）、色、サイズ（最小寸法、最大寸法）、価格（最低価格、最高価格）等）を選択入力することにより、現在表示されている部品情報カード８１群の件数を絞り込むことができる。
【０１２７】
一度件数を絞り込んだ後、絞り込む前の部品情報カード８１群の全件を表示させるためには、「絞込み画面を開く」ボタン８３の右側に配置されている「全件を表示する」ボタン８４を押下する。なお、「全件を表示する」ボタン８４の右側には、部品表示・選択画面８０に現在表示されている部品情報カード８１群の件数８５が表示されるようになっている。
【０１２８】
なお、部品表示・選択画面８０にも、顧客モード画面と担当者モード画面があり、部品表示・選択画面８０のモードは、この部品表示・選択画面８０の前の処理画面である構成部材表示・選択画面６０の画面モード（前述した画面表示区分）を引き継ぐものとなっている。
【０１２９】
部品表示・選択画面８０に表示されている部品情報カード８１群のうちの１個の部品情報カード８１が押下されると、図７に示すように、部品表示・選択画面８０で選択された部品の属性情報を選択入力させるための部品属性情報選択入力画面１１０が表示される。この部品属性情報選択入力画面１１０にも、顧客モード画面と担当者モード画面があり、部品属性情報選択入力画面１１０のモードは、この部品属性情報選択入力画面１１０の前の処理画面である部品表示・選択画面８０のモードを引き継ぐものとなっている。
【０１３０】
図７に示されているように、部品属性情報選択入力画面１１０の左最上部には、部材名称欄１１１が配置されており、この部材名称欄１１１に構成部材表示・選択画面６０で選択された構成部材の部材名称が表示される。
【０１３１】
品番欄１１５の下には、部品の属性種別名称欄１１９と属性値選択欄１２０が配置されており、部品の属性種別名称欄１１９には、部品表示・選択画面８０で選択された部品に対して選択可能な属性種別名称が表示され、部品の属性値選択欄１２０には、属性種別名称欄１１９に表示された属性種別名称に対して選択可能な属性値の一覧が横方向に並んで配置される。
【０１３２】
図７に示されている例では、「レンジフード」の属性種別名称として「幅」、「高さ」、「材質」があり、「幅」として選択可能な属性値として「200ｍｍ」、「300ｍｍ」、「400ｍｍ」、「600ｍｍ」の４通りがあり、「高さ」として選択可能な属性値として「200ｍｍ」、「300ｍｍ」、「400ｍｍ」、「500ｍｍ」の４通りがあり、「材質（色）」として選択可能な属性値として「ホワイト」、「ブルー」、「アプリコット」の３通りがある。なお、これらの属性情報は、サーバ１の部品属性情報抽出処理手段２７により部品属性情報マスタ１６から抽出される。すなわち、部品属性情報マスタ１６のレコードのうち、部材ＩＤが構成部材選択受付処理手段２４により受け付けた部材ＩＤと一致するレコードが、部品属性情報抽出処理手段２７により抽出され、抽出されたレコードの属性情報が部品属性情報選択入力画面１１０に表示される。
【０１３３】
部材名称欄１１１の右側には、部品の属性値の組合せ件数表示欄１１２が配置されており、図７に示されている例では、「幅」の属性値が４パターン、「高さ」の属性値が４パターン、「材質」の属性値が３パターンとなっており、件数表示欄１１２には、４×４×３の合計４８件が表示される。なお、この組合せ件数は、必ずしも各属性値のパターン数を乗算した数とは限らず、部品ごとに異なる。
【０１３４】
また、単価表示欄１１６には、属性値の組合せにより算出される部品の最低単価と最高単価が表示される。それぞれの属性種別について属性値を１個選択することにより、部品の仕様が１通りに決定（確定）され、単価表示欄１１６には、確定した部品の単価が表示され、部材名称欄１１１の下の品名欄１１４、品番欄１１５には、確定した部品の品名、品番が表示される。
【０１３５】
このとき、組合せ件数表示欄１１２の件数は１となる。この後、単価表示欄１１６の下部に配置されている数量入力欄１１７に必要な数量を入力した後、画面最下部の「金額を更新」ボタン１２４を押下することにより、決定した単価に、数量入力欄１１７で入力した数量を乗じた合計金額が、合計金額表示欄１１８に表示される。なお、画面右最上部に配置されている「絞込みをクリア」ボタン１１３を押下することにより、各属性種別で選択した属性値が解除され、部品の属性値の組合せ件数表示欄１１２に表示される件数も、最初に表示されていた件数に戻る。
【０１３６】
それぞれの属性種別について属性値を選択し、数量を入力した状態で、画面下部に配置されている「確定する」ボタン１２２が押下されると、上記の属性情報が確定された状態で部品表示・選択画面８０に戻る。一方、画面下部に配置されている「保留する」ボタン１２３が押下されると、上記の属性情報が保留された状態で部品表示・選択画面８０に戻るが、部品属性情報選択入力画面１１０で属性情報の選択入力が行われた部品の部品情報カード８１の背景色は、黄色に着色される。
【０１３７】
なお、部品属性情報選択入力画面１１０も、担当者モード画面と顧客モード画面とがあり、担当者側で確定すべき属性情報については、顧客モード画面では表示しないように設定することができる。すなわち、部品属性情報マスタ１６のレコードのうち、「表示設定区分」に１（担当者にのみ見せる）が設定されたレコードの属性情報については、顧客モード画面には表示されない。
【０１３８】
なお、図示されていないが、部品属性情報選択入力画面１１０には、この画面で属性情報の選択入力を行う部品に関する情報（カタログ等の資料）を閲覧することができるサイトのＵＲＬボタンが複数配置されている。このため、これらのＵＲＬボタンが押下されることにより、顧客は、部品属性情報選択入力画面１１０で属性情報の選択入力を行う部品の詳しい情報をその場で知ることができるようになる。
【０１３９】
図８は、図７の部品属性情報選択入力画面１１０において属性情報の選択入力を確定させた状態の構成部材が表示されている図４の構成部材表示・選択画面６０の拡大図である。
【０１４０】
この図８に示されているように、属性情報の選択入力が確定した状態の構成部材は、「シリーズ」であり、この「シリーズ」の部材表示欄６３には、部品画像７１と、部品属性情報選択入力画面１１０で選択入力されたことにより確定した品名７２、数量７３、金額７４が表示され、部材表示欄６３の背景色は緑色に着色されている（図８では便宜上網掛け表示）。また、「シリーズ」の部材表示欄６３の右上部の確定・未確定表示欄６６は、「未」から「確」へと表示されている。
【０１４１】
属性情報の選択入力が確定した状態の構成部材の部材表示欄６３には、「クリア」ボタン７０が表示されており、この「クリア」ボタン７０を押下することにより、部品の選択、部品の属性情報の選択入力がされていない初期状態に戻すことができる。
【０１４２】
この状態において「フロー画面に戻る」ボタン７６を押下すると、部品属性情報選択入力画面１１０で選択入力が確定した部品の属性情報等がサーバ１の住宅仕様情報テーブル１１や進捗状況情報テーブル１２等に登録されずに、図２のカテゴリ表示・選択画面４０に戻る。
【０１４３】
一方、「選択を完了する」ボタン７７を押下すると、部品属性情報選択入力画面１１０で選択入力が確定した部品の属性情報が、端末装置３からサーバ１へ送信された後、サーバ１の住宅仕様情報登録処理手段３１により、住宅仕様情報テーブル１１への登録・更新処理が実行される。すなわち、住宅仕様情報登録処理手段３１は、確定された又は保留された部品の属性情報を、顧客の識別情報である顧客ＩＤ及び部品の識別情報である部品ＩＤと関連付けて住宅仕様情報テーブル１１に記憶する処理を実行する。
【０１４４】
また、住宅仕様情報登録処理手段３１により、カテゴリ表示・選択画面４０のカテゴリ表示欄４５に表示される各カテゴリに対応する進捗状況情報テーブル１２の進捗状況区分や完了日時が、各カテゴリに属する構成部材の部品の属性情報の選択入力の状況に応じた値、データ登録・更新日時（具体的には、サーバ１のシステム日付・時刻）に更新される。すなわち、カテゴリに属する全部の構成部材の部品の属性情報（担当者側で確定すべき属性情報を除く）の選択入力が確定されている場合には、前記カテゴリに対応する進捗状況情報テーブル１２の進捗状況区分は２（打合せ済（顧客側））に更新される。一方、カテゴリに属する全部の構成部材の部品の属性情報（担当者側で確定すべき属性情報を含む）の選択入力が確定されている場合には、前記カテゴリに対応する進捗状況情報テーブル１２の進捗状況区分は３（打合せ済（担当者側））に更新される。また、カテゴリに属する一部の構成部材の部品の属性情報の選択入力が確定されている場合には、前記カテゴリに対応する進捗状況情報テーブル１２の進捗状況区分は１（打合せ中）に更新される。
【０１４５】
なお、確定された部品については、住宅仕様情報テーブル１１の確定保留区分に１がセット（移送）され、確定が保留されている部品については、住宅仕様情報テーブル１１の確定保留区分に２がセットされる。
【０１４６】
図２に示すカテゴリ表示・選択画面４０や、図４に示す構成部材表示・選択画面６０において、画面最上部の「選択部品一覧」タブ４３が押下されると、図９に示す確定部品一覧表示画面１３０が表示される。この確定部品一覧表示画面１３０は、部品属性情報選択入力画面１１０で確定された部品の属性情報の一覧を上位カテゴリ（カテゴリ表示・選択画面４０のカテゴリ表示欄４４に表示されるカテゴリ）単位で表示するものである。この確定部品一覧表示画面１３０の表示用データは、サーバ１の処理手段２０により生成された後、確定部品一覧表示画面表示データ送信処理手段３２により端末装置３へ送信する処理が実行される。
【０１４７】
図９に示すように、端末装置３に出力手段に出力される確定部品一覧表示画面１３０の左最上部には、５個の上位カテゴリ（外部、内部、水廻り設備、電気・空調等、インテリア・エクステリア）を選択するためのカテゴリリストボタン１３１が配置されており、このカテゴリリストボタン１３１で選択されたカテゴリの下位カテゴリに属する各構成部材について確定された部品情報が表示される。
【０１４８】
上位カテゴリの名称が表示される上位カテゴリ名称欄１３４の下には、上位カテゴリよりも下位のカテゴリの名称が表示されるカテゴリ名称欄１３５が配置されている。また、このカテゴリ名称欄１３５の下には、このカテゴリ名称欄１３５に表示されているカテゴリに属する構成部材の部材名称が表示される部材名称欄１３６が配置されている。
【０１４９】
また、部材名称欄１３６の下には、確定した部品のメーカー名称欄１３８、部品名称欄１３９、部品画像欄１４０、部品の属性種別名称欄１４１、部品の属性値欄１４２、部品の属性画像欄１４３、部品の確定品番欄１４４、部品の確定単価欄１４５、部品の確定数量欄１４６、部品の確定合計金額欄１４７が配置されており、これらの欄に、住宅仕様情報テーブル１１のレコードの各データ項目等が表示されるようになっている。
【０１５０】
なお、この確定部品一覧表示画面１３０も、担当者モード画面と顧客モード画面とがあり、図９に示されている確定部品一覧表示画面１３０は、担当者モード画面となっており、担当者側で確定すべき部品の属性情報が未確定の部品については、部品の属性情報欄の背景色が赤色に着色されるようになっている（図９の便宜上網掛け表示された箇所１５０を参照）。
【０１５１】
すなわち、確定部品一覧表示画面１３０に表示される部品のうち、部品属性情報選択入力画面１１０の顧客モード画面において、部品の属性情報の選択入力が確定している場合であっても、部品属性情報選択入力画面１１０の担当者モード画面において、担当者側で確定すべき属性情報の選択入力が確定していない部品に対しては、確定部品一覧表示画面１３０の担当者モード画面において、部品の属性情報の選択入力が未確定である旨の表示処理（本実施形態では、部品の属性情報欄の背景色を赤色に着色する処理（例えば、図９では、便宜上網掛け表示されている部分１５０参照））が、サーバ１の部品属性情報未確定表示処理手段３３により実行される。
【０１５２】
なお、確定部品一覧表示画面１３０が担当者モード画面となっている場合には、画面右最上部には、図９に示すように、確定した部品をメーカーに発注するための発注シートを出力するための「発注シート出力」ボタン１３３が表示されるようになっている。
【０１５３】
また、図示されていないが、確定した部品の属性情報のリストに続いて、部品属性情報選択入力画面１１０で属性情報の選択入力が保留された部品の属性情報のリストも表示されるようになっている。
【０１５４】
以上説明した本実施形態では、顧客別の住宅仕様情報を選択入力させるための住宅仕様情報選択入力画面を構成するカテゴリ表示・選択画面４０と、構成部材表示・選択画面６０と、部品表示・選択画面８０と、部品属性情報選択入力画面１１０のそれぞれには、住宅仕様の打合せを行う担当者側で確定すべき仕様情報を含む住宅仕様情報の選択入力が可能な担当者モード画面と、担当者側で確定すべき仕様情報を含まない住宅仕様情報の選択入力が可能な顧客モード画面と、があり、サーバ１は、端末装置３へ送信する担当者モード画面の表示用データと顧客モード画面の表示用データとを、端末装置３からの要求信号に応じて切り換える処理を実行するモード画面切換処理手段２９を備えている。
【０１５５】
このため、本実施形態では、担当者が顧客と打合せをしながら住宅仕様情報を確定していく場合には、端末装置３の操作で上記画面４０，６０，８０，１１０を顧客モード画面に切り換えて住宅の仕様情報の選択入力を行っていけばよい。これにより、顧客は、担当者側で確定すべき仕様情報については確定作業を行う不要がなくなる。すなわち、顧客は、この顧客側で確定すべき仕様情報の確定作業についてのみ行えばよく、担当者側で確定すべき仕様情報の確定作業については担当者に任せることができる。なお、顧客との打合せが終了した後（打合せが始まる前でもよい）、担当者は、端末装置３の操作で上記の画面４０，６０，８０，１１０を担当者モード画面に切り換えて、担当者側で確定すべき住宅仕様情報の選択入力を行っていけばよい。
【０１５６】
このように、本実施形態によると、住宅仕様情報を確定するための打合せの時間の短縮を図ることできる。すなわち、住宅仕様情報を確定するための打合せを迅速に行うことができるようになる。
【０１５７】
また、本実施形態では、サーバ１は、構成部材のカテゴリの一覧を表示するとともにこの一覧から仕様を確定する構成部材が属するカテゴリを選択させるためのカテゴリ表示・選択画面４０に表示されているカテゴリに対して、このカテゴリに属する構成部材に対する選択された部品の属性情報の選択入力の進捗状況に応じた色分け表示処理を実行するカテゴリ色分け表示処理手段３０を備えている。
【０１５８】
このため、本実施形態によると、カテゴリ表示・選択画面４０に表示されているカテゴリに属する構成部材に対する部品の属性情報の選択入力がどの程度進んでいるかを容易に把握することができるようになる。
【０１５９】
さらに、本実施形態では、上述したように、カテゴリ表示・選択画面４０にも、担当者モード画面と顧客モード画面とがあり、部品属性情報選択入力画面１１０の顧客モード画面において、カテゴリに属する構成部材の全部に対して部品の属性情報の選択入力が確定している場合であっても、部品属性情報選択入力画面１１０の担当者モード画面において、担当者側で確定すべき属性情報の選択入力が確定していない場合には、カテゴリ色分け表示処理手段３０は、カテゴリ表示・選択画面４０の担当者モード画面において、カテゴリに属する構成部材の一部に対して部品の属性情報の選択入力が確定している場合に応じた色分け表示処理を、カテゴリに対して実行するようになっている。
【０１６０】
このため、本実施形態によると、担当者は、顧客モード画面から担当者モード画面に切り換えたときに、担当者側で確定すべき部品の属性情報の選択入力が確定していないカテゴリが存在することが容易に一目で分かるようになる。
【０１６１】
また、本実施形態では、担当者モード画面と顧客モード画面とがある確定部品一覧表示画面１３０に表示される部品のうち、部品属性情報選択入力画面１１０の顧客モード画面において、部品の属性情報の選択入力が確定している場合であっても、部品属性情報選択入力画面１１０の担当者モード画面において、担当者側で確定すべき属性情報の選択入力が確定していない部品に対しては、確定部品一覧表示画面１３０の担当者モード画面において、部品の属性情報の選択入力が未確定である旨の表示処理を実行する部品属性情報未確定表示処理手段３３をサーバ１は備えている。
【０１６２】
このため、本実施形態によると、担当者は、確定部品一覧表示画面１３０において、顧客モード画面から担当者モード画面に切り換えたときに、担当者側で確定すべき属性情報の選択入力が確定していない部品が存在することが容易に一目で分かるようになる。
【０１６３】
また、以上説明した本実施形態では、住宅の仕様情報を確定するために必要な各種マスタや、確定されたデータはすべてサーバ１に格納されている。
【０１６４】
このため、本実施形態によると、担当者及び顧客は、Ｗｅｂブラウザを搭載した端末装置３があれば、どこでも、住宅の仕様情報の選択入力や、選択入力が確定された仕様情報の閲覧等を行うことが可能となる。特に、端末装置３が携帯可能なノートパソコン等となっている場合には、住宅の販売店の担当者は、端末装置３を持って顧客の居る場所へ訪問し、その場で顧客と端末装置３を使用しながら住宅仕様の打合せを行うことができるようになる。
【０１６５】
なお、以上説明した本実施形態では、顧客別の住宅仕様情報を選択入力させるための住宅仕様情報選択入力画面は、カテゴリ表示・選択画面４０と、構成部材表示・選択画面６０と、部品表示・選択画面８０と、部品属性情報選択入力画面１１０とで構成されるものであったが、この構成に限定されるものでない。
【産業上の利用可能性】
【０１６６】
本発明は、住宅仕様の確定を支援するための住宅仕様確定支援システムに利用できる。
【符号の説明】
【０１６７】
１  サーバ
２  ネットワーク
３  端末装置
１０  住宅仕様情報記憶手段を構成する顧客情報テーブル
１１  住宅仕様情報記憶手段を構成する住宅仕様情報テーブル
１２  住宅仕様情報記憶手段を構成する進捗状況情報テーブル
１４  構成部材情報記憶手段である部材情報マスタ
１５  部品情報記憶手段である部品情報マスタ
１６  部品属性情報記憶手段である部品属性情報マスタ
２１  住宅仕様情報選択入力受付処理手段
２２  カテゴリ選択受付処理手段
２３  構成部材抽出処理手段
２４  構成部材選択受付処理手段
２５  部品抽出処理手段
２６  部品選択受付処理手段
２７  部品属性情報抽出処理手段
２８  部品属性情報選択入力受付処理手段
２９  モード画面切換処理手段
３０  カテゴリ色分け表示処理手段
３１  住宅仕様情報登録処理手段
３２  確定部品一覧表示画面表示データ送信処理手段
３３  部品属性情報未確定表示処理手段
４０  カテゴリ表示・選択画面
６０  構成部材表示・選択画面
８０  部品表示・選択画面
１１０  部品属性情報選択入力画面
１２０  確定部品一覧表示画面
【図１】
2010250357.tif 000003
【図２】
2010250357.tif 000004
【図３】
2010250357.tif 000005
【図４】
2010250357.tif 000006
【図５】
2010250357.tif 000007
【図６】
2010250357.tif 000008
【図７】
2010250357.tif 000009
【図８】
2010250357.tif 000010
【図９】
2010250357.tif 000011